(57)【要約】  電気機械システムにおいて発熱構成要素を冷却するためのシステム及び方法が提供される。電気機械は、超臨界二酸化炭素（ＳＣＯ２）を含み、ＳＣＯ２は、発熱構成要素を冷却する流体を冷却するための、電気機械システム内に配置される熱交換器の作動媒体であり、及び／又はＳＣＯ２は、発熱構成要素で直接冷却する。
2021530951.tif 000002
【特許請求の範囲】
【請求項１】
ステータと、前記ステータに対して回転可能なロータとを備える回転電気機械であって、前記ステータと前記ロータとが、発熱構成要素である、回転電気機械と、
超臨界二酸化炭素（ＳＣＯ２）と、
を備えるシステムであって、
前記回転電気機械は、前記発熱構成要素の少なくとも１つを冷却する流体を冷却する熱交換器を備え、前記ＳＣＯ２は、前記熱交換器の作動媒体であり、前記作動媒体は、熱交換の間に加熱されて、加熱された作動媒体を形成する、及び／又は、
前記ＳＣＯ２は、前記発熱構成要素の少なくとも１つを直接冷却し、前記発熱構成要素の少なくとも１つが冷却された後に、前記ＳＣＯ２から加熱された排気ガスが形成される、
システム。
【請求項２】
前記ＳＣＯ２が、前記熱交換器の作動媒体であり、そして
前記流体が空気、水又は水素である、
請求項１に記載のシステム。
【請求項３】
前記熱交換器の加熱された作動媒体が大気に放出される、請求項１又は２に記載のシステム。
【請求項４】
前記熱交換器の加熱された作動媒体が隔離される、請求項１又は２に記載のシステム。
【請求項５】
前記熱交換器の加熱された作動媒体が、前記システム内の更なる構成要素内の作動媒体として使用される、請求項１又は２に記載のシステム。
【請求項６】
前記回転電気機械と、前記更なる構成要素との間に配置された放出導管であって、前記放出導管は、前記加熱された作動媒体を前記更なる構成要素に導くように構成されている、請求項５に記載のシステム。
【請求項７】
前記回転電気機械と、前記更なる構成要素との間に配置された進入導管であって、前記導管は、前記更なる構成要素から放出された作動流体を前記熱交換器に導くように構成されており、
前記進入導管及び前記放出導管は、前記回転電気機械と前記更なる構成要素との間に閉ループを形成する、請求項６に記載のシステム。
【請求項８】
前記回転電気システムと、前記更なる構成要素との間に配置された進入導管であって、前記導管は、前記更なる構成要素から放出された作動流体を前記熱交換器に導くように構成されている、請求項１から５のいずれか一項に記載のシステム。
【請求項９】
前記ＳＣＯ２が、前記発熱構成要素の少なくとも１つを直接冷却する、請求項１に記載のシステム。
【請求項１０】
前記加熱された排気ガスが、大気に排出される、請求項９に記載のシステム。
【請求項１１】
前記加熱された排気ガスが、隔離される、請求項９に記載のシステム。
【請求項１２】
前記加熱された排気ガスが、前記システム内の更なる構成要素内の作動媒体として使用される、請求項９に記載のシステム。
【請求項１３】
前記回転電気システムと、前記更なる構成要素との間に配置された放出導管であって、前記導管は、前記加熱された排気ガスを前記更なる構成要素に導くように構成されている、請求項１２に記載のシステム。
【請求項１４】
前記回転電気システムと、前記更なる構成要素との間に配置された進入導管であって、前記導管は、前記更なる構成要素から放出された作動流体を前記回転電気システムに導いて、前記ステータ及び前記ロータの少なくとも１つを直接冷却するように構成されており、前記進入導管及び前記放出導管は閉ループを形成する、請求項１３に記載のシステム。
【請求項１５】
前記回転電気システムと、更なる構成要素との間に配置された進入導管であって、前記導管は、前記更なる構成要素から放出された作動流体を、前記回転電気システムに導くように構成されている、請求項９から１１のいずれか一項に記載のシステム。
【請求項１６】
前記回転電気システムに接続されたＳＣＯ２パワーサイクルタービンであって、前記タービンは、前記回転電気装置に回転エネルギーを提供する、請求項１から１５のいずれか一項に記載のシステム。
【請求項１７】
ステータと、前記ステータに対して回転可能なロータを含む回転電気システムによって超臨界二酸化炭素（ＳＣＯ２）を受け取ることと、
前記ステータ及び／又は前記ロータを熱交換器により又は直接ＳＣＯ２により冷却することと、
を含む方法であって、
前記熱交換器により前記ステータ及び／又は前記ロータを冷却するとき、ＳＣＯ２は、前記ステータ及び／又は前記ロータの冷却由来の加熱された流体を冷却するための前記熱交換器の作動媒体である、方法。
【請求項１８】
前記熱交換器により前記ステータ及び／又はロータを冷却するとき、前記流体は、空気、水又は水素である、請求項１７に記載の方法。
【請求項１９】
前記熱交換器の加熱された作動媒体が、大気に排出される、請求項１７又は１８に記載の方法。
【請求項２０】
前記熱交換器の加熱された作動媒体が、隔離される、請求項１７又は１８に記載の方法。
【請求項２１】
前記回転電気システムと、更なる構成要素との間に配置された進入導管によって、前記更なる構成要素から放出された作動流体を前記熱交換器に導くことを含む、請求項１７又は１８に記載の方法。
【請求項２２】
前記回転電気システムと、更なる構成要素との間に配置された放出導管によって、加熱された作動媒体を前記熱交換器から更なる構成要素に導くことを含む、請求項１７、１８及び２１のいずれか一項に記載の方法。
【請求項２２】
前記更なる構成要素に前記加熱された作動媒体を作動媒体として加える前に、前記加熱された作動媒体を更に加熱することを含む、請求項１７、１８及び２１のいずれか一項に記載の方法。
【請求項２３】
前記ＳＣＯ２が、前記ステータ及び前記ロータのうちの少なくとも１つを直接冷却し、
加熱された排気ガスが、前記ステータ及び前記ロータのうちの少なくとも１つを冷却した後に、前記ＳＣＯ２から生成される、請求項１７に記載の方法。
【請求項２４】
前記加熱された排気ガスが、大気に排出される、請求項２３に記載の方法。
【請求項２５】
前記加熱された排気ガスが、隔離される、請求項２３に記載の方法。
【発明の詳細な説明】
【技術分野】
【０００１】
本開示は、概して、電気機械の冷却に関し、より詳細には、超臨界二酸化炭素（ＳＣＯ２）冷却電気機械のためのシステム及び方法に関する。
【背景技術】
【０００２】
電気機械の運転中、構成要素が発熱することがある。発生した熱は、機械の効率及び／又は寿命を低下させる。機械を許容可能な温度範囲内に保つために、電気機械に冷却システムを使用することができる。
【０００３】
電気機械の例として、図１に発電機１０を示す。発電機１０は、ステータ１２と、ステータ１２に対して回転するロータ１４とを備える。ステータ１２は、その上に巻線２４が配置されたコア２２を含む。発電機の少なくとも一部はケーシング内に収容されてもよい。発電機における典型的な冷却システムは、ｉ）空気、ｉｉ）水素、及びｉｉｉ）水の少なくとも１つの冷却媒体を含む。主要な冷却構成は、ｉ）ロータ及びステータの両方のための空気冷却、ｉｉ）ロータ及びステータの両方のための水素冷却、及びｉｉｉ）ステータコイルのための水冷と、ロータ及びステータコアのため水素冷却を含む。
【０００４】
空気冷却は、発熱構成要素の間接的及び／又は直接的な冷却を含み得る。熱を低減するために、周囲空気又は冷却された空気を構成要素の周囲又は構成要素上で循環させることができる。空気冷却はそれほど効果的ではないため、装置の出力密度（ｋＷ／ｋｇ）を低下させる。所与の出力に対して、空気冷却装置はより大きくなる。空気冷却は、水や水素冷却よりも効果が低い一方で、それほど複雑ではない。
【０００５】
水素は効果的な冷却媒体であるが、水素冷却システムには特別な注意が必要である。水素は可燃性であり、酸素と混合すると爆発する。水素を収容状態に維持し、適切なガス圧を維持するために、発電機のケーシングは、閉ループ冷却環境において強化されている。このケーシング構造は、発電機の重量とコストを増加させる可能性がある。複雑な補助装置が必要とされる。例えば、１）発電機内に水素を維持し、２）空気と水分がシステム内に入るのを防ぎ、及び／又は３）水素グランドシールの潤滑ために、ロータとケーシングとの間に密封油システムが提供される。他の補助装置には、ガスを循環させるブロワー、ガスの流れを調整するバルブ、ガスの圧力を制御する圧力調整器、機械に入る可能性のある水蒸気を除去するガス乾燥機、温度監視、ガス純度監視、及び発電機に水素を安全に入れ、発電機から水素を安全に除去するための捕捉媒体が含まれる。水素は効果的な冷却媒体であるが、補助装置の点ではコストがかかる。さらに、これらの構成要素によって重量が増大し、設置面積が増加する可能性がある。
【０００６】
水は、発電機の構成要素を直接冷却するために使用できる。発電機の短絡を引き起こす水中に電圧が誘導されないように、水の純度を維持する必要がある。また、水が機械の他の部分に入らないように、発電機の部品を密閉する必要がある。水冷システムでは、通常、水の純度を維持するための脱塩装置、乾燥機、フィルター、ポンプ、熱交換器などの補助装置が使用される。
【発明の概要】
【０００７】
前述は、当業者が以下の詳細な説明をより良好に理解できるように、本開示の技術的特徴をかなり広範囲に概説したものである。本発明の特許請求の範囲の主題を形成する本開示の更なる特徴及び利点を以下に説明する。当業者は、本開示と同じ目的を実行するために他の構造を修正又は設計するための基礎として開示された概念及び特定の実施形態を容易に使用できることを理解するであろう。また、当業者は、そのような同等の構成が、その最も広い形態で開示の趣旨及び範囲から逸脱しないことを実現するであろう。
【０００８】
電気機械及び超臨界二酸化炭素（ＳＣＯ２）を含むシステムが提供される。電気機械は、少なくとも１つの発熱構成要素を含む。
【０００９】
電気機械は、少なくとも１つの発熱構成要素を冷却する流体を冷却するための熱交換器を含むことができ、ＳＣＯ２は熱交換器の作動媒体であり、作動媒体は熱交換中に加熱されて加熱された作動媒体を形成し；流体は空気、水又は水素であってよい。加熱された作動媒体は、大気中に放出され、容器に入れられ、更なる構成要素の冷却剤として使用されるか、又は更なる構成要素の作動媒体として使用され得る。
【００１０】
ＳＣＯ２は、少なくとも１つの発熱構成要素を直接冷却することができる。少なくとも１つの発熱構成要素を冷却した後、ＳＣＯ２から加熱された排気ガスが形成される。放出導管を経由して、加熱された排気ガスは大気に放出され、容器に入れられ、更なる構成要素の冷却剤として使用されるか、又は更なる構成要素の作動媒体として使用され得る。
【００１１】
放出導管は、電気機械と更なる構成要素との間に配置されて、加熱された作動媒体及び／又は加熱された排気ガスを更なる構成要素に導くことができる。
【００１２】
電気機械と更なる構成要素との間に進入導管を配置して、排出された作動流体（ＳＣＯ２）を更なる構成要素から熱交換器に導く、及び／又は少なくとも１つの発熱構成要素を直接冷却することができる。
【００１３】
電気機械と更なる構成要素との間に閉ループを形成するために、進入導管及び放出導管を設けることができる。
【００１４】
電気機械は、ステータ、及び該ステータに対して回転可能なロータを含む回転電気機械（ｄｙｎａｍｏｅｌｅｃｔｒｉｃ  ｍａｃｈｉｎｅ）であることができ、ステータ及びロータは、発熱構成要素である。ステータ及びロータののうちの少なくとも１つは、熱交換器によって、又はＳＣＯ２によって直接冷却することができる。
【図面の簡単な説明】
【００１５】
【図１】図１は、発電機の図である。
【図２】図２は、回転電気システムの発熱構成要素を冷却するためのＳＣＯ２を含むシステムの概略図である。
【図３】図３は、回転電気システムの発熱構成要素を冷却するためのＳＣＯ２を含むシステムの方法を示す図である。
【発明を実施するための形態】
【００１６】
次に、システム及び方法に関連する様々な技術を、図面を参照して説明する。ここで、同様の符号は、全体を通して同様の要素を表す。以下に論じる図面、及びこの特許文書の本開示の原理を説明するために使用される様々な実施形態は、例示のみであり、開示の範囲を制限するために何らかの方法で解釈されるべきではない。当業者は、本開示の原理が任意の適切に配置された装置で実施され得ることを理解するであろう。あるシステム要素によって実行されると説明されている機能は、複数の要素によって実行され得ることを理解されたい。同様に、例えば、要素は、複数の要素によって実行されると説明される機能を実行するように構成され得る。本出願の多数の革新的な教示を、例示的な非限定的な実施形態を参照して説明する。
【００１７】
また、本明細書で使用される単語又は句は、いくつかの例で明示的に制限されない限り、広く解釈されるべきであることを理解されたい。例えば、「含む（ｉｎｃｌｕｄｅ）」及び「備える（ｃｏｍｐｒｉｓｅ）」という語、並びにそれらの派生語は、限定されない包含を意味する。単数形「ａ」、「ａｎ」、及び「ｔｈｅ」は、文脈で明確に示されていない限り、複数形も含むことを意図している。さらに、本明細書で使用される「及び／又は」という語は、１つ又は複数の関連するリストされたアイテムのありとあらゆる可能な組み合わせを指し、それらを包含する。「又は」という語は、文脈が明らかに他のことを示さない限り、及び／又は、を意味する包括的な語である。「関連する」及び「それに関連する」という句、並びにそれらの派生語は、含む、含まれる、相互接続する、含む、含まれる、接続する、又は一緒に、結合する、又は、通信可能である、協動する、インターリーブする、並置する、近接する、束縛される、又は束縛する、有する、所有する等の意味を含み得る。
【００１８】
また、本明細書では、「第１」、「第２」、「第３」などの語を使用して、様々な要素、情報、機能、又は行為を指すことができるが、これらの要素、情報、機能、又は作用（ａｃｔ）は、これらの用語によって制限されるべきではない。むしろ、これらの数字の形容詞は、様々な要素、情報、機能、又は作用を互いに区別するために使用される。例えば、第１の要素、情報、機能、又は作用は、第２の要素、情報、機能、又は作用と呼ぶことができ、同様に、第２の要素、情報、機能、又は作用は、本開示の範囲から逸脱することなく、第１の要素、情報、機能する、又は作用と呼ぶことができる。
【００１９】
さらに、「隣接する」という語は、要素が他の要素に比較的近いが接触していないことを意味するか、あるいは、文脈で明確に示されていない限り、要素が別の部分と接触していることを意味し得る。さらに、「に基づく」という句は、特に明記しない限り、「少なくとも部分的に、に基づく」ことを意味することを意図している。「約」又は「実質的に」又は同様の語は、その寸法の通常の産業製造における公差内にある値の変動をカバーすることを意図する。産業における基準が利用できない場合、特に明記されていない限り、２０％の変動はこれらの語の意味に含まれる。範囲は、特に明記されていない限り、開始値と終了値を含むと理解される。
【００２０】
電気機械は、動作中に熱を発生し、発熱構成要素の熱を低減することから利益を得ることができる装置である。本明細書に記載の態様は、熱を低減するために任意の電気機械に適用することができる。本発明の様々な態様を説明するために、回転電気機械が示されている。回転電気機械を使用して概説された原理が他の電気機械に適用され得ること、及び例示が開示の範囲を限定するものではないことは理解されよう。
【００２１】
図２は、回転電気機械及び超臨界二酸化炭素（ＳＣＯ２）を含むシステム２００の概略図を示している。回転電気機械２１０は、複数の発熱構成要素２１２、２１４を含む。発熱構成要素は、ステータ２１２及びロータ２１４を含む。ロータ２１４は、ステータ２１２に対して回転可能である。ステータ及びロータの少なくとも１つは、熱交換器によって、又は直接ＳＣＯ２によって冷却される。
【００２２】
回転電気機械２１０は、熱交換器２４０の作動媒体としてＳＣＯ２  ２１６を使用する熱交換器２４０を含み得る。流体２４６、例えば、空気、水素、又は水は、閉ループ環境で循環される。流体２４６は、発熱構成要素２１２、２１４のうちの少なくとも１つを冷却するために使用される。発熱構成要素２１２、２１４はそれぞれ、異なる流体によって冷却され得ることは理解されよう。１つ超の熱交換器２４０を使用できることも理解されよう。例えば、各発熱部品は、異なる熱交換器２４０を使用することができる。熱交換器２４０は、少なくとも１つの発熱構成要素２１２、２１４の冷却中に加熱された流体２４６を冷却するように構成されている。この熱交換の間、作動媒体２１６は加熱される。放出導管２５０を経由して、加熱された作動媒体２１７は、放出導管２５０によって排出され、封じ込められ、又は更なる構成要素で使用され得る。例えば、加熱された作動媒体２１７は、大気２７７に放出され得る、容器２４２に格納することができる、更なる構成要素２５４において冷却剤として使用され得る、あるいは、更なる構成要素２５４において作動媒体として使用され得る。放出導管２５０は、回転電気機械２１０と更なる構成要素２５４との間に配置されて、加熱された作動媒体２１７を熱交換器２４０から更なる構成要素２５４に導くことができる。進入導管２７０は、回転電気機械２１０と更なる構成要素２５４との間に配置することができ、進入導管２７０は、排出された作動流体、ＳＣＯ２を更なる構成要素２５４から熱交換器２４０に導くように構成される。図によれば、進入導管２７０及び放出導管２５０は、同じ更なる構成要素２５４に接続されている。進入導管２７０は、第１の更なる構成要素に接続され得、放出導管２５０は、第２の更なる構成要素に接続され得ることが理解されよう。さらに、ＳＣＯ２  ２１６は、容器によって回転電気機械２１０の熱交換器２４０に供給され得ることが理解されるであろう。
【００２３】
一実施形態では、作動媒体としてＳＣＯ２を使用するＳＣＯ２パワーサイクルタービンが、回転電気機械２１０に接続２８０されている。例えば、ＳＣＯ２パワーサイクルタービンは、アラムサイクルタービンＳＣＯ２（Ａｌｌａｍ  Ｃｙｃｌｅ  ｔｕｒｂｉｎｅ．  ＳＣＯ２）であり得る。タービンは、回転電気機械に回転エネルギーを提供する。進入導管２７０は、ＳＣＯ２パワーサイクルタービン２５４を回転電気機械２１０に接続して、タービン２５４から熱交換器２４０にＳＣＯ２を供給する。上記のように、加熱された作動媒体２１７は、放出導管２５０によって、排出、隔離、又は更なる構成要素で使用され得る。放出導管２５０は、タービン２５４を回転電気機械２１０に接続して、熱交換器２４０の加熱された作動媒体２１７をタービン２５４に導くことができる。加熱によって増加したＳＣＯ２の内部エネルギーは、タービン２５４の効率を増加させることができる。加熱された作動媒体２１７は、タービン２５４に追加される前に、更に加熱され、内部エネルギーを更に増加させることができる。一実施形態では、進入導管２７０及び放出導管２５０は、ＳＣＯ２パワーサイクルタービン２５４に接続されて、ＳＣＯ２のための閉ループを形成する。進入導管２７０が接続されているタービンの段は、放出導管２５０が接続されている段とは異なっていてもよい。
【００２４】
熱交換器２４０の作動流体としてＳＣＯ２  ２１６を使用することは、設置面積を増加させることなく、及び／又は追加の補助装置を追加することなく、発電機の電力密度を増加させることができる。
【００２５】
回転電気機械２１０は、ＳＣＯ２  ２１６を冷却剤として使用して、発熱構成要素２１２、２１４のうちの少なくとも１つを直接冷却することができる。ＳＣＯ２によって発熱構成要素２１２、２１４を直接冷却することによって形成された、加熱された排気ガス２１９は、放出導管２５０を経由して排出できるか、又は更なる構成要素で使用できる。例えば、加熱された排気ガス２１９は、大気２７７に放出させ得る、容器２４２に格納し得る、更なる構成要素２５４において冷却剤として使用し得る、又は、更なる構成要素２５４において作動媒体として使用し得る。放出導管３６０は、回転電気機械２１０と更なる構成要素２５４との間に配置されて、加熱された排気ガス２１９を更なる構成要素に導くことができる。進入導管２７０は、回転電気機械と更なる構成要素２５４との間に配置して、進入導管は、排出された作動流体を更なる構成要素から回転電気機械に導くように構成できる。図によれば、進入導管２７０及び放出導管２５０は、同じ更なる構成要素２５４に接続されている。進入導管２７０は、第１の更なる構成要素に接続でき、進入導管２５０は、第２の更なる構成要素に接続できることは理解されよう。さらに、ＳＣＯ２  ２１６は、容器によって回転電気機械２１０に供給され得ることが理解されるであろう。
【００２６】
一実施形態では、作動媒体としてＳＣＯ２を使用するＳＣＯ２パワーサイクルタービンが、回転電気機械２１０に接続され、タービンは、回転電気機械に回転エネルギーを提供する。例えば、ＳＣＯ２パワーサイクルタービンは、アラムサイクルタービンＳＣＯ２であり得る。進入導管２７０は、ＳＣＯ２パワーサイクルタービン２５４を回転電気機械２１０に接続して、タービン２５４からＳＣＯ２を供給して、発熱構成要素の少なくとも１つを直接冷却する。加熱された排気ガス２１９は、排出、隔離、又は更なる構成要素で使用することができる。放出導管２５０は、タービン２５４を回転電気機械２１０に接続して、加熱された排気ガス２１９をタービン２５４に導くことができる。加熱によって増加したＳＣＯ２の内部エネルギーは、タービン２５４の効率を増加させることができる。加熱された排気ガス２１９は、タービン２５４に追加される前に、さらに加熱され、内部エネルギーを更に増加させることができる。進入導管２７０及び放出導管２５０は、ＳＣＯ２パワーサイクルタービン２５４に接続されて、ＳＣＯ２のための閉ループを形成できる。進入導管２７０が接続されるタービンの段は、放出導管２５０が接続される段とは異なっていてもよい。
【００２７】
水や水素とは異なり、ＳＣＯ２はステータ巻線に使用されている銅に直接接触する可能性がある。これにより、冷却チャネルを形成する際のステータ巻線の原因を低減できる。さらに、発熱構成要素２１２、２１４の少なくとも１つを直接冷却することにより、補助装置の削減を実現できる。例えば、ＳＣＯ２は水のように導電性がないため、脱塩補助装置を必要としない。水素冷却に必要な密封油装置をなくすことができる。ＳＣＯ２は発電機２１０内で閉ループにないので、他の補助装置を排除することが可能であり得る。
【００２８】
熱交換器の作動媒体としてのＳＣＯ２  ２１６と、発熱構成要素の少なくとも１つを直接冷却するための冷却剤としてのＳＣＯ２  ２１６との組み合わせを使用できる。例えば、ロータをＳＣＯ２  ２１６によって直接冷却することができ、ステータを熱交換器によって冷却される流体によって冷却することができる。ステータをＳＣＯ２  ２１６によって直接冷却することができ、ロータを熱交換器によって冷却される流体によって冷却することができるという逆の構成を使用できることも理解されよう。さらに、熱交換器２４０のみを使用して、発熱構成要素２１２、２１４のうちの少なくとも１つを冷却する構成を採用することができるか、又はその逆であること、ＳＣＯ２  ２１６のみを使用する構成は、発熱構成要素の少なくとも１つを直接冷却するための冷却剤として使用することができることは理解されよう。
【００２９】
方法を、図３に示す。方法３００によれば、超臨界二酸化炭素（ＳＣＯ２）は、複数の発熱構成要素（３１０）を含む電気機械によって受容される。ＳＣＯ２は、容器又は更なる構成要素から受容できる。更なる構成要素は、ＳＣＯ２パワーサイクルタービンであって良い。
【００３０】
発熱構成要素の少なくとも１つは、作動媒体としてＳＣＯ２を使用して熱交換器から冷却する（３１２）か、又はＳＣＯ２を使用して、発熱構成要素の少なくとも１つを直接冷却する。
【００３１】
ＳＣＯ２が熱交換器の作動媒体である場合、ステータ及び／又はロータを冷却するのに使用される流体は、空気、水、又は水素であってよい。
【００３２】
熱交換器の加熱された作動媒体及び／又は加熱された排気ガスは、大気に放出できるか、隔離できるか、更なる構成要素の冷却剤として使用できるか、あるいは更なる構成要素の作動媒体として使用できる。更なる構成要素は、ＳＣＯ２パワーサイクルタービンであってよい。
【００３３】
閉ループを、更なる構成要素と電気機械との間に設けることによって、ＳＣＯ２は電気機械によって受容され、発熱構成要素の少なくとも１つの冷却後、加熱された作動媒体及び／又は加熱された排気は、作動媒体として更なる構成要素に戻される。
【００３４】
加熱された作動媒体及び／又は加熱された排気ガスは、加熱された作動媒体を作動媒体として更なる構成要素に加える前に、更に加熱できる。
【００３５】
電気機械は、発熱構成要素としてロータ及びステータを備えた発電機であってもよい。
【００３６】
更なる実施形態では、ロータ及びステータの周りの密閉されたケーシング内にＳＣＯ２を含む回転電気機械を提供できる。このようにして、ＳＣＯ２はステータとロータを取り囲む。ステータ及びロータによって加熱されるときにＳＣＯ２から熱を抽出するために、熱交換器が提供され得る。
【００３７】
本開示の例示的な実施形態を詳細に説明してきたが、当業者であれば、本明細書に開示される様々な変更、置換、変形、及び改善が、その最も広い形態で、本開示の趣旨及び範囲から逸脱することなく行われ得ることは理解するであろう。
【００３８】
本出願の説明はいずれも、要素、ステップ、作用、又は機能が必須の要素であり、特許請求の範囲に含まれている必要があることを意味するものとして解釈されるべきではない。特許取得済みの主題の範囲は、許可された特許請求の範囲によってのみ定義される。さらに、これらの特許請求の範囲のいずれも、正確な単語「のための手段」の後に分詞が続く場合を除いて、手段プラス機能の請求項の解釈を想起させることを意図するものではない。
【００３９】
次に、配置及び方法に関係する様々な技術を、図面を参照して説明する。ここで、同様の参照番号は、全体を通して同様の要素を表す。以下に論じる図面、及び本特許文書において本開示の原理を説明するために使用される様々な実施形態は、例示のみであり、開示の範囲を制限するように解釈されるべきではない。以下に論じる図面、及び本特許文書において本開示の原理を説明するために使用される様々な実施形態は、例示のみであり、開示の範囲を制限するように解釈されるべきではない。当業者は、本開示の原理が任意の適切に配置された装置で実施され得ることを理解するであろう。特定のシステム要素によって実行されると説明されている機能は、複数の要素によって実行され得ることが理解されるべきである。同様に、例えば、要素は、複数の要素によって実行されると説明される機能を実行するように構成され得る。本出願の多数の革新的な教示は、例示的な非限定的な実施形態を参照して説明される。
【図１】
2021530951.tif 000003
【図２】
2021530951.tif 000004
【図３】
2021530951.tif 000005
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
ステータと、前記ステータに対して回転可能なロータとを備える回転電気機械であって、前記ステータと前記ロータとが、発熱構成要素である、回転電気機械と、
超臨界二酸化炭素（ＳＣＯ２）と、
を備えるシステムであって、
前記回転電気機械は、前記発熱構成要素の少なくとも１つを冷却する流体を冷却する熱交換器を備え、前記ＳＣＯ２は、前記熱交換器の作動媒体であり、前記作動媒体は、熱交換の間に加熱されて、加熱された作動媒体を形成する、
システム。
【請求項２】
前記流体が空気、水又は水素である、
請求項１に記載のシステム。
【請求項３】
前記熱交換器の加熱された作動媒体が大気に放出される、請求項１又は２に記載のシステム。
【請求項４】
前記熱交換器の加熱された作動媒体が隔離される、請求項１又は２に記載のシステム。
【請求項５】
前記ＳＣＯ２が、前記発熱構成要素の少なくとも１つを直接冷却する、請求項１に記載のシステム。
【請求項６】
ＳＣＯ２パワーサイクルタービンが、前記回転電気機械に接続されており、前記タービンは、前記回転電気装置に回転エネルギーを提供する、請求項１から５のいずれか一項に記載のシステム。
【請求項７】
ステータと、前記ステータに対して回転可能なロータを含む回転電気システムによって超臨界二酸化炭素（ＳＣＯ２）を受け取ることと、
前記ステータ及び／又は前記ロータを熱交換器により又は直接ＳＣＯ２により冷却することと、
を含む方法であって、
ＳＣＯ２は、前記ステータ及び／又は前記ロータの冷却由来の加熱された流体を冷却するための前記熱交換器の作動媒体である、方法。
【請求項８】
ステータと、前記ステータに対して回転可能なロータとを備える回転電気機械であって、前記ステータと前記ロータとが、発熱構成要素である、回転電気機械と、
超臨界二酸化炭素（ＳＣＯ２）と、
前記回転電気機械に接続されたＳＣＯ２パワーサイクルタービンであって、前記タービンは、前記回転電気機械に回転エネルギーを提供する、ＳＣＯ２パワーサイクルタービンと、
を備えるシステムであって、
前記回転電気機械は、前記発熱構成要素の少なくとも１つを冷却する流体を冷却する熱交換器を備え、前記ＳＣＯ２は、前記熱交換器の作動媒体であり、前記作動媒体は、熱交換の間に加熱されて、加熱された作動媒体を形成する、及び／又は
前記ＳＣＯ２は、前記発熱構成要素の少なくとも１つを直接冷却し、前記発熱構成要素の少なくとも１つが冷却された後に、前記ＳＣＯ２から加熱された排気ガスが形成される、
システム。
【国際調査報告】
2021530951.tif 000006
2021530951.tif 000007